(57)【要約】【課題】下枠の平坦面が狭い場合と広い場合とをできるだけ部品を共用化して選択できるようにした樹脂サッシを提供する。【解決手段】枠体として、網戸レール部１２ａ、外レール部１２ｂ、内レール部１２ｃ及び室内側部１２ｄを備え、外レール部１２ｂと内レール部１２ｃにより形成される中間凹部１４と内レール部１２ｃと室内側部１２ｄにより形成される内側凹部１５はそれぞれ底面または側面に長手方向部材を面固定可能な取付部１４ａ、１５ａを有した基本フラット枠体と、基本フラット枠体に対し中間凹部１４の取付部１４ａに固定される第１長手方向部材７０と、内側凹部１５の取付部１５ａに固定される第２長手方向部材７５とを取付け、各長手方向部材７０、７５の上面７３、７７は外レールや内レールと同じ高さとしてなる拡張フラット枠体とのいずれかを選択する。【選択図】図１
2006233452.tif 000002
【特許請求の範囲】
【請求項１】
合成樹脂製の上下枠及び左右の縦枠を方形状に枠組みして枠体を構成し、該枠体に上下框及び左右の縦框を方形状に框組みして内部にガラス体を納めた室内外障子を走行自在に納めてなる樹脂サッシにおいて、
上記枠体は、
内周面に室外側から順にそれぞれ突出状の網戸レール部、外レール部、内レール部及び室内側部を備えて、上記網戸レール部と外レール部により凹形状の外側凹部が、上記外レール部と内レール部により凹形状の中間凹部が、上記内レール部と室内側部により凹形状の内側凹部が、それぞれ形成されると共に、上記外レール部と内レール部及び室内側部の上面は略同じ高さに形成され、上記中間凹部と内側凹部はそれぞれ底面または側面に長手方向部材を面固定可能な取付部を有した基本フラット枠体と、
上記基本フラット枠体と、該基本フラット枠体の下枠の中間凹部の取付部に対して固定され上面が上記外レールと略同じ高さに形成された第１長手方向部材と、上記基本フラット枠体の下枠の内側凹部の取付部に対して固定され上面が上記内レールと略同じ高さに形成された第２長手方向部材とからなる拡張フラット枠体と、
のいずれかを選択し、
上記基本フラット枠体を選択した場合、
下框は室外垂下片と室内垂下片を備え、上記室外障子の室外垂下片は上記外側凹部に、上記室外障子の室内垂下片は上記中間凹部に、上記室内障子の室外垂下片は上記中間凹部に、上記室内障子の室内垂下片は上記内側凹部に、それぞれ納められて案内される両側垂下障子を枠体内に納めてなり、
上記拡張フラット枠体を選択した場合、
下框は室外垂下片を備え、上記室外障子の室外垂下片は上記外側凹部に、上記室内障子の室外垂下片は上記中間凹部に、それぞれ納められて案内され、上記室外障子の室内側下端部は上記第１長手方向部材の上面に対向配置され、上記室内障子の室内側下端部は上記第２長手方向部材の上面に対向配置される片側垂下障子を枠体内に納めてなる
ことを特徴とする樹脂サッシ。
【請求項２】
上記下枠の中間凹部と内側凹部は、底面にネジ孔を有することにより、または側面に嵌合凹部ないし嵌合凸部を有することにより、上記長手方向部材を面固定可能な取付部を形成することを特徴とする請求項１記載の樹脂サッシ。
【請求項３】
上記下枠の中間凹部は取付部としてネジ孔を有し、上記第１長手方向部材は上記ネジ孔を介して下枠に固定されると共に上部に係合部を備えた基部材と、該基部材の係合部に係合され上面を平坦に形成したカバー部材との二部材から構成されてなることを特徴とする請求項２記載の樹脂サッシ。
【請求項４】
上記下枠の内側凹部は室内外両側面に上記嵌合凹部ないし嵌合凸部を有し、上記第２長手方向部材は上面が上記内レール部から室内側部の略全幅に渡って設けられると共に、室内外両側面に上記嵌合凹部ないし嵌合凸部と嵌合する被嵌合部を有してなることを特徴とする請求項２または３記載の樹脂サッシ。
【請求項５】
上記基本フラット枠体を構成する下枠の網戸レール部には上面が上記外レール部及び内レール部と略同じ高さとなる網戸レールカバーが設けられることを特徴とする請求項１〜４のいずれか１項に記載の樹脂サッシ。
【請求項６】
上記網戸レールカバーは、
上記基本フラット枠体を選択した場合、上記外側凹部の室外面と底面を略覆う板状の被覆部と、上記外側凹部の室外面上端部に係合する係合部とを有し、該係合部の上面に上記網戸を案内する網戸レールが形成されてなり、
上記拡張フラット枠体を選択した場合、上記外側凹部の室外面と底面を略覆う被覆部と、上記外側凹部の室外面上端部に係合する係合部と、該係合部の上部に設けられる上記網戸を案内する網戸レールとからなり、上記被覆部は上記外側凹部の室外面を覆う部分が中空状に形成されて上面に平坦部を有してなる
ことを特徴とする請求項５記載の樹脂サッシ。
【発明の詳細な説明】
【技術分野】
【０００１】
本発明は樹脂材からなる枠体内に引き違い状の障子を納めてなる樹脂サッシに関し、特に下枠の敷居面について平坦な面の大きさを選択できる樹脂サッシに関する。
【背景技術】
【０００２】
従来から、枠体内に引き違い状の障子を納めてなるサッシにおいて、枠体及び障子を樹脂材で構成し、しかも下枠のレールの高さを揃えて敷居面を略フラットに形成した樹脂サッシが知られている。このような樹脂サッシとしては、例えば特許文献１に挙げるようなものがある。樹脂サッシの場合、上下枠及び左右の縦枠の各両端部を斜めに切断し、それらを突き合わせ溶着することで方形状の枠体を構成するようにすることがある。このように突き合わせて溶着をするためには、枠体を構成する上下枠及び左右の縦枠は断面形状が略同じとなるように形成する必要がある。
【特許文献１】特開平１０−１１５１５２号公報
【発明の開示】
【発明が解決しようとする課題】
【０００３】
従来の樹脂サッシでは、敷居面における平坦な面が大きい下枠フラットサッシとするために、レール間に上面がレールと略同じ高さであるアタッチメントを設ける場合がある。このように平坦な面が大きい下枠フラットサッシには、アタッチメントを取付けるためレール間の凹部に突出状に形成した基部を設けて、この基部に対してアタッチメントを係合ないし嵌合させて固定するようにしている。
【０００４】
一方で、コストダウンのためにアタッチメントを取付けることなくレールだけで敷居面を構成する場合もある。この場合にはレール間の凹部を平面のみで構成し、基部など突出する部分を設けないようにしていた。すなわち、アタッチメントを取付けて平坦な面を大きくした下枠フラットサッシと、アタッチメントを設けず敷居面をレールのみで構成した通常の樹脂サッシとでは、枠の形状が異なっており、相互に共用化することができなかった。そのため、コストの増大を招いていた。
【０００５】
本発明は、上記課題を解決すべくなされたものであり、下枠の平坦面が狭い場合と広い場合とをできるだけ部品を共用化して選択できるようにした樹脂サッシを提供することを目的とする。
【課題を解決するための手段】
【０００６】
上記課題を解決するため、本発明に係る樹脂サッシは、合成樹脂製の上下枠及び左右の縦枠を方形状に枠組みして枠体を構成し、該枠体に上下框及び左右の縦框を方形状に框組みして内部にガラス体を納めた室内外障子を走行自在に納めてなる樹脂サッシにおいて、
上記枠体は、
内周面に室外側から順にそれぞれ突出状の網戸レール部、外レール部、内レール部及び室内側部を備えて、上記網戸レール部と外レール部により凹形状の外側凹部が、上記外レール部と内レール部により凹形状の中間凹部が、上記内レール部と室内側部により凹形状の内側凹部が、それぞれ形成されると共に、上記外レール部と内レール部及び室内側部の上面は略同じ高さに形成され、上記中間凹部と内側凹部はそれぞれ底面または側面に長手方向部材を面固定可能な取付部を有した基本フラット枠体と、
上記基本フラット枠体と、該基本フラット枠体の下枠の中間凹部の取付部に対して固定され上面が上記外レールと略同じ高さに形成された第１長手方向部材と、上記基本フラット枠体の下枠の内側凹部の取付部に対して固定され上面が上記内レールと略同じ高さに形成された第２長手方向部材とからなる拡張フラット枠体と、
のいずれかを選択し、
上記基本フラット枠体を選択した場合、
下框は室外垂下片と室内垂下片を備え、上記室外障子の室外垂下片は上記外側凹部に、上記室外障子の室内垂下片は上記中間凹部に、上記室内障子の室外垂下片は上記中間凹部に、上記室内障子の室内垂下片は上記内側凹部に、それぞれ納められて案内される両側垂下障子を枠体内に納めてなり、
上記拡張フラット枠体を選択した場合、
下框は室外垂下片を備え、上記室外障子の室外垂下片は上記外側凹部に、上記室内障子の室外垂下片は上記中間凹部に、それぞれ納められて案内され、上記室外障子の室内側下端部は上記第１長手方向部材の上面に対向配置され、上記室内障子の室内側下端部は上記第２長手方向部材の上面に対向配置される片側垂下障子を枠体内に納めてなる
ことを特徴として構成されている。
【０００７】
また、本発明に係る樹脂サッシは、上記下枠の中間凹部と内側凹部は、底面にネジ孔を有することにより、または側面に嵌合凹部ないし嵌合凸部を有することにより、上記長手方向部材を面固定可能な取付部を形成することを特徴として構成されている。
【０００８】
さらに、本発明に係る樹脂サッシは、上記下枠の中間凹部は取付部としてネジ孔を有し、上記第１長手方向部材は上記ネジ孔を介して下枠に固定されると共に上部に係合部を備えた基部材と、該基部材の係合部に係合され上面を平坦に形成したカバー部材との二部材から構成されてなることを特徴として構成されている。
【０００９】
さらにまた、本発明に係る樹脂サッシは、上記下枠の内側凹部は室内外両側面に上記嵌合凹部ないし嵌合凸部を有し、上記第２長手方向部材は上面が上記内レール部から室内側部の略全幅に渡って設けられると共に、室内外両側面に上記嵌合凹部ないし嵌合凸部と嵌合する被嵌合部を有してなることを特徴として構成されている。
【００１０】
そして、本発明に係る樹脂サッシは、上記基本フラット枠体を構成する下枠の網戸レール部には上面が上記外レール部及び内レール部と略同じ高さとなる網戸レールカバーが設けられることを特徴として構成されている。
【００１１】
また、本発明に係る樹脂サッシは、上記網戸レールカバーは、
上記基本フラット枠体を選択した場合、上記外側凹部の室外面と底面を略覆う板状の被覆部と、上記外側凹部の室外面上端部に係合する係合部とを有し、該係合部の上面に上記網戸を案内する網戸レールが形成されてなり、
上記拡張フラット枠体を選択した場合、上記外側凹部の室外面と底面を略覆う被覆部と、上記外側凹部の室外面上端部に係合する係合部と、該係合部の上部に設けられる上記網戸を案内する網戸レールとからなり、上記被覆部は上記外側凹部の室外面を覆う部分が中空状に形成されて上面に平坦部を有してなる
ことを特徴として構成されている。
【発明の効果】
【００１２】
本発明に係る樹脂サッシによれば、基本フラット枠体と両側垂下障子の組み合わせまたは拡張フラット枠体と片側垂下障子の組み合わせのいずれかを選択し、基本フラット枠体には第１及び第２長手方向部材を面固定可能とする取付部を設けたことにより、両方の組み合わせにおいて基本フラット枠体を共用化することができるので、サッシの部品の共用化によるコストダウンを図ることができる。
【００１３】
また、本発明に係る樹脂サッシによれば、取付部を嵌合部やネジ孔で構成したことにより、枠体の製造を容易にすることができると共に、長手方向部材の取付も容易に行えるようにすることができる。
【００１４】
さらに、本発明に係る樹脂サッシによれば、ネジ固定される第１長手方向部材を基部材とカバー部材の二部材で構成したことにより、下枠下面に対するネジ固定を容易に行うことができる。
【００１５】
さらにまた、本発明に係る樹脂サッシによれば、第２長手方向部材は上面が内レール部から室内側部の略全幅に渡って設けられ、両側面がそれぞれ内側凹部の両側面に嵌合することにより、内レール部から室内側部までを連続的に略フラットな面とすることができて、より平坦度の高いサッシとすることができると共に、第２長手方向部材の固定も容易に行うことができる。
【００１６】
そして、本発明に係る樹脂サッシによれば、基本フラット枠体の下枠の網戸レール部には上面が外レール部及び内レール部と略同じ高さとなる網戸レールカバーが設けられることにより、外レール部や内レール部に比べると幅狭に形成される網戸レール部の強度を充分に確保することができる。
【００１７】
また、本発明に係る樹脂サッシによれば、拡張フラット枠体を選択した場合に被覆部に中空部を有しその上面に平坦部を形成したことにより、拡張フラット枠体を選択した場合に下枠の敷居面における平坦な面をより広くすることができて、平坦度のより高いサッシとすることができる。
【発明を実施するための最良の形態】
【００１８】
本発明の実施形態について図面に沿って詳細に説明する。図１は本実施形態における枠体及び障子の組み合わせを示した図である。本実施形態におけるサッシの基本構成は、建物開口部に取付けられる枠体１内に、外障子４と内障子５を引き違い状に納め、さらにその室外側には網戸６を納めてなるものである。枠体１は樹脂材からなり、下枠１０と上枠２０及び左右の縦枠３０、３０を方形状に枠組みして構成されるものである。また、外障子４と内障子５は、樹脂材からなる下框４０と上框５０及び左右の縦框６０、６０を方形状に框組みして框体２を構成し、その内部にガラス体３を納めてなるものである。
【００１９】
図１（Ａ）及び図１（Ｂ）には、下枠１０と下框４０の組み合わせ部分を示している。図１（Ａ）には基本フラット枠体を示している。その下枠１０は、樹脂材からなり、下部には中空状に形成されてなる中空部１１を有し、その上部には敷居面１２が形成されている。敷居面１２には、室外側から順にそれぞれ突出状の網戸レール部１２ａ、外レール部１２ｂ、内レール部１２ｃ、及び室内側部１２ｄが形成されている。これら外レール１２ｂ、内レール部１２ｃ、及び室内側部１２ｄの上面は、略同じ高さとなるように形成されている。
【００２０】
網戸レール部１２ａと外レール部１２ｂにより外側凹部１３が、外レール部１２ｂと内レール部１２ｃにより中間凹部１４が、内レール部１２ｃと室内側部１２ｄにより内側凹部１５が、それぞれ形成されている。上枠２０と縦枠３０についても、略同じ断面形状を有するように形成される。
【００２１】
また、下枠１０の網戸レール部１２ａには、網戸レールカバー８０が取付けられる。網戸レールカバー８０は、外側凹部１３の室外面と底面を略覆う板状に形成され、上面には網戸６を案内する網戸レール８１が形成されている。この網戸レール８１の上端は外レール部１２ｂや内レール部１２ｃの上面と略同じ高さとなるように形成されている。
【００２２】
図１（Ｂ）には拡張フラット枠体を示している。その下枠１０は、図１（Ａ）に示す基本フラット枠体の下枠１０に対して、中間凹部１４には外側アタッチメント７０を、内側凹部１５には内側アタッチメント７５を、それぞれ取付けてなるものである。外側アタッチメント７０及び内側アタッチメント７５の上面は、いずれも各レール部の上面と略同じ高さとなるように形成されており、したがって図１（Ｂ）に示す下枠は、図１（Ａ）に示す下枠よりも、略フラットな平面部分が広くなる。
【００２３】
また、下枠１０の網戸レール部１２ａには、基本フラット枠体の場合とは異なる網戸レールカバー８０が取付けられる。この場合の網戸レールカバー８０は、外側凹部１３の室外面と底面を覆う点では基本フラット枠体に取付けられるものと同様であるが、外側凹部１３の室外面を覆う部分については中空状に形成され、その上面には平坦部８４を有している。すなわち、拡張フラット枠体に取付けられる網戸レールカバー８０によっても、下枠１０の敷居面１２における略フラットな平面部分を広くしている。
【００２４】
このように２種類の枠体１について、基本フラット枠体を共用し、下枠１０に対するアタッチメント取付けの有無により略フラットな平面部分の大きさを異なるものとしている。このため、基本フラット枠体の下枠１０には、アタッチメントの取付部が形成されている。ただし、図１（Ａ）のようにアタッチメントを取付けることなく基本フラット枠体のみで用いる場合もあるため、下枠１０を構成する面とアタッチメントを構成する面とを互いに当接させ、その当接面でネジないしビス止めまたは嵌合により面固定がなされるようにしている。すなわち、下枠１０にアタッチメント取付けのための突出部分を設けないようにしている。
【００２５】
基本フラット枠体と拡張フラット枠体では、内部に納める障子の形状が異なっている。図１（Ａ）に示すように、基本フラット枠体に納める外障子４の下框４０は、室外面を垂下した室外垂下部４１と、室内面を垂下した室内垂下部４２とを有し、室外垂下部４１は下枠１０の外側凹部１３に、室内垂下部４２は下枠１０の中間凹部１４に、それぞれ納められる。また、内障子５の下框４０も、室外面を垂下した室外垂下部４１と、室内面を垂下した室内垂下部４２とを有し、室外垂下部４１は下枠１０の中間凹部１４に、室内垂下部４２は下枠１０の内側凹部１５に、それぞれ納められる。すなわち、基本フラット枠体を選択した場合、障子は両側垂下障子であって下框４０の室内外垂下部により下枠１０のレール部を跨ぐように配置される。
【００２６】
図１（Ｂ）に示すように、拡張フラット枠体に納める外障子４の下框４０は、室外面を垂下した室外垂下部４１を有し、室内面については垂下されずに室内下端部４３を構成する。室外垂下部４１は下枠１０の外側凹部１３に納められ、室内下端部４３は下面が外側アタッチメント７０の上面に対向する。また、内障子５の下框４０も、室外面を垂下した室外垂下部４１を有し、室内面については垂下されずに室内下端部４３を構成する。室外垂下部４１は下枠１０の中間凹部１４に納められ、室内下端部４３は下面が内側アタッチメント７５の上面に対向する。すなわち、拡張フラット枠体を選択した場合、障子は片側垂下障子であって下框４０の室外垂下部が下枠１０の凹部に飲み込まれるように配置される。
【００２７】
次に、それぞれのサッシについてより詳細に説明する。まず、基本フラット枠体を選択した場合のサッシについて説明する。図２には基本フラット枠体を用いたサッシの縦断面図を、図３には基本フラット枠体を用いたサッシの横断面図を示している。これら各図に示すように、枠体１を構成する下枠１０と上枠２０及び左右の縦枠３０、３０は略同じ断面形状を有している。また、框体２を構成する下框４０と上框５０及び左右の縦框６０、６０についても、略同じ断面形状を有している。
【００２８】
基本フラット枠体の下枠１０について説明する。図４には、下枠１０の拡大図を示している。上述のように、下枠１０の上部には室外側から順に網戸レール部１２ａ、外レール部１２ｂ、内レール部１２ｃ、及び室内側部１２ｄが形成されている。外レール部１２ｂと内レール部１２ｃは、上面がそれぞれ外レール及び内レールとして形成されており、これらに下框４０下部に設けられる戸車４５が載置され、外障子４及び内障子５を長手方向に走行自在としている。
【００２９】
外レール部１２ｂと内レール部１２ｃにより形成される中間凹部１４底面には、外側アタッチメント７０を取付可能な取付部１４ａが形成されている。本実施形態で取付部１４ａは、ネジ孔として形成されている。したがって、外側アタッチメント７０はネジ止めにより中間凹部１４の底面に対し面固定可能とされる。なお、固定はビス止めによってもよい。
【００３０】
また、内レール部１２ｃと室内側部１２ｄにより形成される内側凹部１５側面には、内側アタッチメント７５を取付可能な取付部１５ａが形成されている。本実施形態で取付部１５ａは、嵌合凹部として形成されている。したがって、内側アタッチメント７５は両側面に嵌合凸部を有することにより、内側凹部１５の両側面にたいし面固定可能とされる。なお、内側凹部１５の側面に嵌合凸部を、内側アタッチメント７５の側面に嵌合凹部を、それぞれ設けることとしてもよい。
【００３１】
網戸レール部１２ａには、その上部を覆う網戸レールカバー８０が設けられる。網戸レールカバー８０は、金属からなり、上面に網戸レール８１を形成されている。ここで、網戸レール８１の上端と、外レール部１２ｂと内レール部１２ｃ及び室内側部１２ｄの上面は、それぞれ略同じ高さに形成され、敷居面１２の上面が略フラットとなるようにされている。
【００３２】
網戸レールカバー８０は、断面略Ｌ字状の板状に形成されており、下枠１０の外側凹部１３の室外面及び底面を略覆う被覆部８２と、外側凹部１３の上端部に係合する係合部８３とを有してなるものである。そして、係合部８３の上面に網戸レール８１が形成されている。
【００３３】
また、下枠１０の中空部１１には、敷居面１２にかかる荷重を支えるための補強材が設けられている。外レール部１２ｂの下部には、金属からなる外レール補強材９０が設けられる。外レール補強材９０は、中空状に形成された外レール部１２ｂの下面に当接して外レール部１２ｂにかかる荷重を支える外レール支持部９０ａと、外レール支持部９０ａの上端室外端部から室外側に向かって延出する外側延出部９０ｂとからなっている。
【００３４】
外レール支持部９０ａの上半分は中空状に形成され、下半分は板状に形成されて下端部が下枠１０の中空部１１下面に当接する脚部を構成する。また、外側延出部９０ｂは外側凹部１３の底面裏側に当接し、外側凹部１３の底面表側に当接する網戸レールカバー８０の被覆部８２とネジ止めされる。このように、網戸レールカバー８０を外レール補強材９０に対してネジ止めしたことにより、網戸レールカバー８０の取付強度を充分に確保することができる。
【００３５】
内レール部１２ｃの下部には、金属からなる内レール補強材９１が設けられる。内レール補強材９１は、中空状に形成された内レール部１２ｃの下面に当接して内レール部１２ｃにかかる荷重を支えるようにしている。また、内レール補強材９１は、下辺の長い断面略コ字状に形成されており、下辺部分において下枠１０のさらに下方に設けられるアンカー部材９２に対しネジ止めされる。
【００３６】
これらのように、外レール補強材９０と内レール補強材９１は、それぞれ外レール部１２ｂと内レール部１２ｃを支持している。下枠１０の敷居面１２の中でも、内外障子４、５を案内する外レール部１２ｂ及び内レール部１２ｃに特に大きな荷重がかかるので、それらを支持する補強材により、強度の高い下枠１０とすることができる。一方で、下枠１０の中空部１１全体に補強材を設ける場合に比べると、補強材を小さくすることができるので、強度を充分に確保しつつコストダウンを図ることができる。
【００３７】
外障子４と内障子５については、上述のようにそれぞれ下框４０が室外垂下部４１と室内垂下部４２を有しており、これらが各レール部を跨ぐように配置される。各垂下部の内側面にはそれぞれ気密材７が設けられており、各気密材７が外レール部１２ｂや内レール部１２ｃに対し当接することでサッシの気密性及び水密性を確保している。この構造は、上框５０及び縦枠３０側の縦框６０においても同様である。
【００３８】
図３に示すように、召合せ側の縦框６０については、樹脂材からなり縦框６０の外周面を覆う召合せ框カバー６１を設けて、下框４０における室外垂下部４１及び室内垂下部４２に相当する部分が露出しないようにしている。また、この縦框６０の室外面には金属からなる煙返し部材６２が外障子４と内障子５で互い違いとなるように設けられており、これらが噛み合うことで障子の召合せ部分における気密性を確保している。
【００３９】
次に、拡張フラット枠体を選択した場合のサッシについて説明する。図５には拡張フラット枠体を用いたサッシの縦断面図を、図６には拡張フラット枠体を用いたサッシの横断面図を、それぞれ示している。これら各図に示すように枠体１は、上述の基本フラット枠体に対して網戸レールカバー８０と外側アタッチメント７０及び内側アタッチメント７５を設けてなるものである。すなわち、下枠１０の中空部１１や網戸レール部１２ａ、外レール部１２ｂ、内レール部１２ｃ、及び室内側部１２ｄの形状は図２に示したものと同一であり、上枠２０や縦枠３０の形状についても同様である。また、下枠１０の中空部１１内部に設けられる外レール補強材９０及び内レール補強材９１の構成についても図２に示したものと同一である。
【００４０】
図７には、図５の下枠１０及び下框４０付近の拡大図を示している。網戸レールカバー８０は、図２に示したものと同様に金属からなり、下枠１０の外側凹部１３の室外面と底面を略覆う被覆部８２と、外側凹部１３の室外面上端部と係合する係合部８３を有している。ただし、被覆部８２の外側凹部１３の室外面を覆う部分については、中空部を有するように形成されており、その上面に平坦部８４が形成されている点で図２に示したものとは異なる。また、平坦部８４に隣接するように網戸レール８１が形成されている。
【００４１】
次に、各アタッチメントについて説明する。外側アタッチメント７０は、下枠１０の中間凹部１４に長手方向に沿って設けられるもので、外障子４と内障子５の召合せ部分及び下枠１０の両端部近傍以外の領域に設けられる。なお、中間凹部１４の外障子４と内障子５の召合せ部分には、気密性及び水密性確保のための気密ブロック７８が設けられ、下枠１０の両端部近傍は、排水のために空間として流路を形成する。
【００４２】
外側アタッチメント７０は二部材からなり、下枠１０に対して固定される上方に開放した溝形状の基部材７１と、基部材７１の上方を覆うように設けられるカバー部材７２とから構成される。基部材７１は、下枠１０の中間凹部１４底面に形成されている取付部１４ａに対して底面を当接させ、ネジ止めすることによって面固定される。
【００４３】
基部材７１は、上部に被係合部７１ａを有しており、カバー部材７２は基部材７１上部の被係合部７１ａに対して係合する係合部７２ａを下部に有している。また、カバー部材７２は上面７３が平面状に形成されており、この上面７３の高さは外レール部１２ｂの上面の高さと略同じであって、また外レール部１２ｂの上面と略連続状とされている。すなわち、カバー部材７２の上面７３は、外レール部１２ｂの上面を室内側に拡張して平坦面を広くしている。
【００４４】
内側アタッチメント７５は、下枠１０の内側凹部１５に長手方向に沿って設けられるもので、下枠１０の両端部近傍以外の領域に設けられる。なお、内側凹部１５の下枠１０両端部近傍には、内障子５が縦枠３０に衝突しないように戸当たりブロック１６が設けられる。
【００４５】
内側アタッチメント７５は断面略コ字状に形成され、その両側面には下枠１０の内側凹部１５両側面に形成された取付部１５ａに適合する嵌合部７６が形成されている。下枠１０の内側凹部１５に形成された取付部１５ａは、上述のように嵌合凹部として形成されているので、内側アタッチメント７５の嵌合部７６は、それに対して嵌合自在な嵌合凸部として形成されている。このため、内側アタッチメント７５は内側凹部１５に対して上方から挿入することで容易に取付けることができる。このように、内側アタッチメント７５は内側凹部１５の取付部１５ａに対して面固定される。
【００４６】
また、内側アタッチメント７５の上面７７は平面状に形成されており、その高さが内レール部１２ｃの上面及び室内側部１２ｄの上面の高さと略同じとされている。また、内側アタッチメント７５の上面７７は、内レール部１２ｃから室内側部１２ｄに渡って設けられており、内レール部１２ｃの上面から室内側部１２ｄの上面までを略連続状として拡張し、平坦面を広くしている。
【００４７】
外障子４と内障子５については、上述のようにそれぞれ下框４０が室外垂下部４１と室内下端部４３を有しており、外障子４の室外垂下部４１は下枠１０の外側凹部１３に納められ、外障子４の室内下端部４３は外側アタッチメント７０の上面７３に対向配置され、内障子５の室外垂下部４１は下枠１０の中間凹部１４に納められ、内障子５の室内下端部４３は内側アタッチメント７５の上面７７に対向配置される。室外垂下部４１の内側面には気密材７が設けられており、各気密材７が外レール部１２ｂや内レール部１２ｃに対し当接する。また、室内下端部４３の下面にも気密材７が設けられており、各気密材７が外側アタッチメント７０の上面７３や内側アタッチメント７５の上面７７に対し当接する。
【００４８】
上框５０や縦框６０の形状については、基本フラット枠体を選択した場合の框体２に用いられるものと同一である。なお、縦框６０のうち内障子５の召合せ框には、室内側に断面中空状の召合せ框補強材を設けている。拡張フラット枠体を選択した場合の框体２は、室外垂下部４１と室内下端部４３を有する下框４０と、室外垂下部４１と室内垂下部４２を有するそれ以外の框とで、断面形状が異なることになる。図８（Ａ）には、下框４０と縦框６０の溶着部分の拡大図を示す。下框４０と縦框６０は、それぞれ端部を斜め４５°に切断し、端面を互いに突き合わせて溶着し固定するようにしている。
【００４９】
この場合に縦框６０の室内垂下部に相当する部分の先端は、下框４０の室内下端部４３の先端と突き合わされる。縦框６０の室外垂下部に相当する部分の先端は、室内垂下部に相当する部分の先端と同じ見付方向位置にあるので、室内下端部４３よりも見付方向外側まで延出している下框４０の室外垂下部４１は、縦框６０との突き合わせ面よりも外側に配置されることになる。上述のように縦框６０の室外垂下部に相当する部分と、下框４０の室外垂下部４１にはそれぞれ気密材７が設けられており、そのままでは気密材７が連続状とならない。図８においては、ハッチングで示した部分が気密材７を表している。
【００５０】
そこで、下框４０は溶着部分近傍で室外垂下部４１の気密材７を切欠き、縦框６０も溶着部分近傍で室外垂下部に相当する部分の気密材７を切欠いて、溶着部分には室内面に気密部４６ａを有したＬ字状のコーナーブロック４６を設ける。コーナーブロック４６を取付けた溶着部分の拡大図を図８（Ｂ）に示す。気密部４６ａは、下框４０の気密材７及び縦框６０の気密材７とそれぞれ連続状となるように形成しており、これによって下框４０と縦框６０の気密を連続的になすようにしている。
【００５１】
次に、外障子４及び内障子５と枠体１の位置関係について説明する。図７に示すように、カバー部材７２は、室内側端部を断面略Ｌ字状に形成した室内面部７４を有している。内障子５の下框４０に形成された室外垂下部４１は、下枠１０の中間凹部１４に納められ、その室外面はカバー部材７２の室内面部７４と所定間隔の隙間を有して対向している。ここで、室外垂下部４１の室外面とカバー部材７２の室内面部７４の間隔は、室内外の気圧差などによる内障子５の室外側への移動量を規定する。したがって、この間隔はできるだけ小さくすることで内障子５の移動量を小さくすることができる。しかし一方で、気温の変化による樹脂材の変形を考慮すると、室外垂下部４１の室外面とカバー部材７２の室内面部７４の間には、ある程度の隙間を設けておくことが必要である。
【００５２】
図９は、図７において障子が室外側に移動した状態を示した図である。この図に示すように内障子５は、下框４０の室外垂下部４１の室外面がカバー部材７２の室内面部７４に当接する位置まで室外側に移動する。この際、下框４０の戸車４５は内レール部１２ｃの内レール１２ｆに乗り上げる。ただし、戸車４５は内レール１２ｆから完全に外れることがないように室外垂下部４１の室外面とカバー部材７２の室内面部７４の隙間を設定している。
【００５３】
本実施形態では、内レール部１２ｃの内レール１２ｆは断面円弧状の凸部として形成されており、室外垂下部４１の室外面とカバー部材７２の室内面部７４の隙間が内レール１２ｆの幅の約２分の１とされている。したがって、図９に示すように、内障子５が室外側に移動し、室外垂下部４１の室外面がカバー部材７２の室内面部７４に当接する位置で、戸車４５の室外面が内レール１２ｆの頂部に配置される状態となり、戸車４５は内レール１２ｆからは外れていない。
【００５４】
室外垂下部４１の室外面とカバー部材７２の室内面部７４との隙間をこのように設定することにより、樹脂材の変形を考慮しつつも、室内外の気圧差などによって内障子５が室外側に移動した場合、戸車４５が中間凹部１４に落ち込むことがなく、扱いやすいサッシとすることができる。
【００５５】
また、外障子４についても、同様の位置関係に配置される。図７に示すように、外障子４の場合には、室外垂下部４１の室外面は網戸レールカバー８０の室内面部８５と所定間隔の隙間を有して対向する。そこで、この隙間を戸車４５がレールから完全に外れることがないように、内障子５の場合と同様の間隔に設定する。すなわち、室外垂下部４１の室外面と網戸レールカバー８０の室内面部８５の隙間が、外レール１２ｅの幅の約２分の１とされている。こうすることで、図９に示すように、内障子５が室外側に移動した場合に、外障子４の下框４０における室外垂下部４１の室外面が網戸レールカバー８０の室内面部８５に当接し、この状態で下框４０の戸車４５は、外レール部１２ｂの外レール１２ｅの頂部まで乗り上げた状態となり、戸車４５は外レール１２ｅからは外れていない。
【００５６】
次に、縦枠３０の形状について説明する。図１０には、図６における縦枠３０及び縦框６０付近の拡大図を示している。この図に示すように、縦枠３０の外レール部１２ｂの室外面は、縦框６０の気密材７が当接する部分から先端側にかけて、室内側に向かう傾斜面とされて傾斜部３１を形成している。また、縦枠３０の内レール部１２ｃについても同様に形成されている。なお、枠体１は下枠１０と上枠２０及び縦枠３０が全て略同じ断面形状を有しているから、外レール部１２ｂと内レール部１２ｃは四周に渡って同様に傾斜部３１を有している。
【００５７】
このように外レール部１２ｂ及び内レール部１２ｃに傾斜部３１を設けたことにより、外障子４や内障子５を開き始める際に、気密材７と各レール部との間に生じる摩擦による抵抗力を小さくすることができ、障子の初動開閉力を小さくすることができるので、小さな力で障子を開閉することができる。
【００５８】
以上、本発明の実施形態について説明したが、本発明の適用は本実施形態には限られず、その技術的思想の範囲内において様々に適用されうるものである。
【図面の簡単な説明】
【００５９】
【図１】本実施形態における枠体及び障子の組み合わせを示した図である。
【図２】基本フラット枠体を選択した場合のサッシの縦断面図である。
【図３】基本フラット枠体を選択した場合のサッシの横断面図である。
【図４】図２の下枠及び下框付近の拡大図である。
【図５】拡張フラット枠体を選択した場合のサッシの縦断面図である。
【図６】拡張フラット枠体を選択した場合のサッシの横断面図である。
【図７】図５の下枠及び下框付近の拡大図である。
【図８】下框と縦框の溶着部分の拡大図である。
【図９】図７において内外障子が室外側にずれた状態の図である。
【図１０】図６の縦枠及び縦框付近の拡大図である。
【符号の説明】
【００６０】
１    枠体
２    框体
３    ガラス体
４    外障子
５    内障子
６    網戸
７    気密材
１０    下枠
１１    中空部
１２    敷居面
１２ａ  網戸レール部
１２ｂ  外レール部
１２ｃ  内レール部
１２ｄ  室内側部
１３    外側凹部
１４    中間凹部
１４ａ  取付部
１５    内側凹部
１５ａ  取付部
４０    下框
４１    室外垂下部
４２    室内垂下部
４３    室内下端部
４５    戸車
７０    外側アタッチメント
７１    基部材
７２    カバー部材
７３    上面
７４    室内面部
７５    内側アタッチメント
７６    嵌合部
７７    上面
８０    網戸レールカバー
８４    平坦部
８５    室内面部
【図１】
2006233452.tif 000003
【図２】
2006233452.tif 000004
【図３】
2006233452.tif 000005
【図４】
2006233452.tif 000006
【図５】
2006233452.tif 000007
【図６】
2006233452.tif 000008
【図７】
2006233452.tif 000009
【図８】
2006233452.tif 000010
【図９】
2006233452.tif 000011
【図１０】
2006233452.tif 000012